(57)【要約】【課題】帯に装着した状態を安定して保持することができる帯取付用小物携帯具、特に、前屈みになるなど身体を傾ける動作をしたときでも、小物入れ（小物入れを含む本体部）が大きく揺れ動くことがない帯取付用小物携帯具を提供する。【解決手段】本発明の帯取付用小物携帯具１０は、帯１よりも身体２側または帯１同士の間に位置させる内側部１７と、帯１の外側に位置させる本体部１１と、帯１の上方縁１ｂ（一方縁）を越えて、内側部１７の基端部１７ｇと本体部１１とを連結してなる基端連結部１８と、帯１の下方縁１ｃ（他方縁）を越えて、内側部１７の先端部１７ｈと本体部１１とを、結合及び解離可能に連結する先端連結手段１６とを備えている。【選択図】図３
2008136648.tif 000002
【特許請求の範囲】
【請求項１】
身体に巻いた帯に装着する帯取付用小物携帯具であって、
上記帯よりも身体側または上記帯同士の間に位置させる内側部であって、
板状または棒状をなし、
上記帯の一方縁の側に位置させる基端部、及び、上記帯の他方縁の側に位置させる先端部を有する
内側部と、
上記帯の外側に位置させる本体部であって、
収容ポケット、及び、被携帯物を携帯可能とする携帯部材の少なくともいずれかを有する本体部と、
上記帯の上記一方縁を越えて、上記内側部の上記基端部と上記本体部とを連結してなる基端連結部と、
上記帯の上記他方縁を越えて、上記内側部の上記先端部と上記本体部とを、結合及び解離可能に連結する先端連結手段と、を備える
帯取付用小物携帯具。
【請求項２】
請求項１に記載の帯取付用小物携帯具であって、
前記先端連結手段は、
一端が前記本体部に結合され、他端側に、対となるスナップボタンのうちの一方側ボタン部材が取り付けられた細帯状の連結部材、及び、
前記内側部の前記先端部に取り付けられた、上記スナップボタンのうちの他方側ボタン部材である
帯取付用小物携帯具。
【請求項３】
請求項１または請求項２に記載の帯取付用小物携帯具であって、
前記内側部は、前記帯の幅方向について、身体に巻いた上記帯よりも身体側または上記帯同士の間に挿入可能な剛性を有する
帯取付用小物携帯具。
【請求項４】
請求項１〜請求項３のいずれか一項に記載の帯取付用小物携帯具であって、
前記内側部は、板状で、可撓性を有してなる
帯取付用小物携帯具。
【請求項５】
請求項４に記載の帯取付用小物携帯具であって、
前記内側部は、
可撓性を有し、第１主面及び第２主面を有するプラスチック板からなる芯部材と、
布地からなり、少なくとも上記芯部材の上記第１主面及び第２主面を覆う被覆布部材と、を有する
帯取付用小物携帯具。
【発明の詳細な説明】
【技術分野】
【０００１】
本発明は、帯に取り付けることが可能な帯取付用小物携帯具に関する。
【背景技術】
【０００２】
従来より、ズボンやスカートのウエスト部に取り付けることが可能な小物入れとして、様々なものが提案されている（例えば、特許文献１，２参照）。
【０００３】
【特許文献１】特開平１１−１５１１１２号
【特許文献２】特開２００２−１８６５１４号
【０００４】
特許文献１には、ズボンやスカートのウエスト部に差し込んだクリップのアーム部に、小物入れなどを吊り下げて使用する小物携帯具が開示されている。
また、特許文献２には、ズボンやスカートのウエスト部の内側に挟み込む狭持板と、この狭持板からズボン等のウエスト部の外側に沿って下方に延びる取付部材であって、小物入れなどをを吊り下げるための取付部材とからなるウエスト掛留具が開示されている。さらに、このウエスト掛留具のうち、スナップボタン（オス型）が設けられた取付部材に、スナップボタン（メス型）が設けられた小物入れなどを、スナップボタン同士を嵌合させることで取り付けた小物携帯具が開示されている。
【発明の開示】
【発明が解決しようとする課題】
【０００５】
近年、和服（着物）を着て仕事をする人達（例えば、呉服屋などで働く人達）の間で、和服を着て仕事をする時に、携帯電話やペンなどの小物を携帯できるようにしたいという要望が高まっている。そこで、特許文献１，２に開示されている小物携帯具を、帯に装着して使用すれば、携帯電話やペンなどの小物を携帯することが可能になると考えられる。
【０００６】
ところが、特許文献１，２に開示されているものを、ズボン等のウエスト部に取り付ける場合と同様にして、帯の上縁部に差し込んで使用した場合、身体を傾けるなど身体を動かしていると、次第に、帯に差し込んでいる部分（クリップや狭持板）が上方に移動してきて、小物携帯具が帯から外れてしまうことがあった。
さらに、特許文献１，２に開示されているものは、いずれも、小物入れ等を吊り下げる形態であるため、前屈みになるなど身体を傾ける動作をすると、小物入れ等が大きく揺れ動いてしまうので、煩わしく、見た目も悪かった。
【０００７】
本発明は、かかる現状に鑑みてなされたものであって、帯に装着した状態を安定して保持することができる帯取付用小物携帯具、特に、前屈みになるなど身体を傾ける動作をしたときでも、小物入れ（小物入れを含む本体部）が大きく揺れ動くことがない帯取付用小物携帯具を提供することを目的とする。
【課題を解決するための手段】
【０００８】
その解決手段は、身体に巻いた帯に装着する帯取付用小物携帯具であって、上記帯よりも身体側または上記帯同士の間に位置させる内側部であって、板状または棒状をなし、上記帯の一方縁の側に位置させる基端部、及び、上記帯の他方縁の側に位置させる先端部を有する内側部と、上記帯の外側に位置させる本体部であって、収容ポケット、及び、被携帯物を携帯可能とする携帯部材の少なくともいずれかを有する本体部と、上記帯の上記一方縁を越えて、上記内側部の上記基端部と上記本体部とを連結してなる基端連結部と、上記帯の上記他方縁を越えて、上記内側部の上記先端部と上記本体部とを、結合及び解離可能に連結する先端連結手段と、を備える帯取付用小物携帯具である。
【０００９】
本発明の帯取付用小物携帯具は、帯の一方縁（例えば、上方縁）を越えて、内側部の基端部と本体部とを連結してなる基端連結部と、帯の他方縁（例えば、下方縁）を越えて、内側部の先端部と本体部とを結合及び解離可能に連結する先端連結手段とを備えている。これにより、本発明の帯取付用小物携帯具では、帯を挟んで、内側部と本体部とを、帯の上方縁の側と下方縁の側との両側で結合することができるので、身体を傾けるなど身体を動かしていても、帯から外れてしまうことがなく、帯に装着した状態を安定して保持することができる。さらに、前屈みになるなど身体を傾ける動作をしたときでも、本体部（収容ポケットや携帯部材など）が大きく揺れ動くことがないので、好ましい。
【００１０】
なお、帯としては、例えば、和服や浴衣等を着用した際に用いる名古屋帯、袋帯、角帯などが挙げられる。
また、先端連結手段としては、例えば、一端が本体部に（縫いつけ等により）結合され、他端側に、対となるスナップボタンのうちの一方側ボタン部材（例えば、メス型ボタン）が取り付けられた細帯状（紐状）の連結部材と、内側部の先端部に取り付けられた、上記対となるスナップボタンのうちの他方側ボタン部材（例えば、オス型ボタン）とからなるものが挙げられる。なお、この場合、スナップボタンに代えて、面ファスナを用いても良い。また、本体部または内側部の先端部に取り付けられたボタンと、内側部の先端部または本体部（前記ボタンが取り付けられていない部位）に取り付けられ、前記ボタンに係合可能な輪状の紐部材とからなる先端連結手段としても良い。
【００１１】
また、本体部は、身体に巻いた帯の幅方向に見て、帯の幅と同程度の寸法とするのが好ましいが、収容ポケットに収容したい物あるいは被携帯物に応じて、適宜の寸法とすれば良い。具体的には、本体部の長さを、帯の幅よりも短い寸法としても良いし、逆に、帯の幅よりも長い寸法としても良い。但し、帯の幅よりも長い寸法とする場合には、帯の下方に本体部の一部が延びる形態とするのが好ましい。さらに、この場合、先端連結手段のうち、本体部に結合させる部材（例えば、メス型のスナップボタンを有する細帯状の連結部材）を、帯の幅方向に見て、本体部の途中部分（例えば、帯の縁に一致する部分）に取り付けるのが好ましい。
【００１２】
また、内側部は、身体に巻いた帯の幅方向に見て、帯の幅と同程度の寸法（特に、帯の幅より僅かに短い寸法）とするのが好ましい。内側部が帯の内側に収容されていれば、身体を動かすときに邪魔にならないからである。
また、収容ポケットとして、携帯電話、たばこ、ペン等の筆記用具、小銭、手帳、はさみ、クリップ、携帯型コンピュータ端末など、収容したい被収容物の寸法を考慮して、適宜な大きさに成形された収容ポケットを、本体部に設けるようにすると良い。
【００１３】
また、被携帯物を携帯可能とする「携帯部材」としては、例えば、被携帯物（携帯電話、ペン等の筆記用具、クリップ、携帯型コンピュータ端末など）を携帯可能とするホルダ（携帯電話ホルダなど）や、ペン差し込み用のペン差しリングや、クリップ差し込み用のリングや、収容ポケットを有するポケット部材を本体部に着脱可能とするポケット部材装着具（例えば、スナップボタンや面ファスナなど）などが挙げられる。
また、基端連結部は、本体部及び内側部と一体にされたものに限らず、内側部の基端部と本体部とを結合及び解離可能に連結するものも含む。
【００１４】
さらに、上記の帯取付用小物携帯具であって、前記先端連結手段は、一端が前記本体部に結合され、他端側に、対となるスナップボタンのうちの一方側ボタン部材が取り付けられた細帯状の連結部材、及び、前記内側部の前記先端部に取り付けられた、上記スナップボタンのうちの他方側ボタン部材である帯取付用小物携帯具とすると良い。
【００１５】
帯取付用小物携帯具の内側部は、帯よりも身体側または帯同士の間に位置させるため、例えば、この内側部の先端部に細帯状の連結部材を取り付けた帯取付用小物携帯具を、帯に装着した場合には、細帯状の連結部材が折れ曲がり、帯の内側または帯同士の間で、内側部に重なった状態になることが考えられる。この場合、手指の感覚で、連結部材を探すことが難しくなり、内側部の先端部と本体部とを連結させにくい場合があると考えられる。
【００１６】
これに対し、本発明の帯取付用小物携帯具では、細帯状の連結部材（その一端）を、帯の外側に位置させる本体部に取り付けているため、上記のような不具合が生じる虞がない。しかも、内側部の先端部に、スナップボタンの他方側ボタン部材を取り付けているのみであるので、この他方側ボタン部材が内側部の先端部の所定位置から動くことがない。これにより、手指の感覚で、細帯状の連結部材及び内側部の先端部に位置するスナップボタンの位置を探し易くなり、内側部の先端部と本体部との連結を容易に行うことができる。
【００１７】
さらに、上記いずれかの帯取付用小物携帯具であって、前記内側部は、前記帯の幅方向について、身体に巻いた上記帯よりも身体側または上記帯同士の間に挿入可能な剛性を有する帯取付用小物携帯具とすると良い。
【００１８】
本発明の帯取付用小物携帯具では、内側部が、帯の幅方向について、身体に巻いた帯よりも身体側または帯同士の間に挿入可能な剛性を有している。これにより、身体に帯を既に巻いた後でも、内側部を、帯よりも身体側または帯同士の間に適切に挿入することができる。従って、本発明の帯取付用小物携帯具では、身体に帯を既に巻いた後でも、適切に、帯に装着することができる。
なお、内側部は、帯の上方縁側及び下方縁側のいずれから挿入することとしても良いが、上方縁側から挿入したほうが挿入しやすく、衣服（和服や浴衣）も乱れないので好ましい。この場合、本体部に設ける収容ポケットや携帯部材は、帯取付用小物携帯具の向きを内側部の基端部及び基端連結部を上とした場合に、使用できる形態にしておく。
【００１９】
さらに、上記いずれかの帯取付用小物携帯具であって、前記内側部は、板状で、可撓性を有してなる帯取付用小物携帯具とすると良い。
【００２０】
本発明の帯取付用小物携帯具では、内側部を板状としている。これにより、内側部と帯との接触面積を大きくすることができるので、帯取付用小物携帯具が帯に装着され、内側部を帯よりも身体側または帯同士の間に位置させた状態を、安定して保持することができる。
【００２１】
しかも、この内側部は可撓性を有しているので、身体に巻いた帯の形状に倣って変形（湾曲）させることができる。これにより、帯の周方向に、内側部を帯に密着させることができるので、帯取付用小物携帯具を、より一層安定して保持することができる。また、装着感も良好にできる。
【００２２】
なお、内側部としては、例えば、可撓性のあるプラスチック板、厚紙などからなるものを挙げることができる。さらには、これらの表裏面を布地で覆うようにしても良い。具体的には、これらの表裏面に布地を貼り付ける、あるいはこれらを布地で包み、板状で可撓性を有する内側部としても良い。
【００２３】
さらに、上記の帯取付用小物携帯具であって、前記内側部は、可撓性を有し、第１主面及び第２主面を有するプラスチック板からなる芯部材と、布地からなり、少なくとも上記芯部材の上記第１主面及び第２主面を覆う被覆布部材と、を有する帯取付用小物携帯具とすると良い。
【００２４】
帯取付用小物携帯具を繰り返し使用しても、内側部の可撓性を維持するには、可撓性のあるプラスチック板を使用するのが好ましい。この場合、例えば、内側部全体をプラスチック板で構成することもできる。
しかしながら、プラスチック板のみからなる内側部では、吸湿性が低いため、使用し続けると装着感が低下して好ましくない。また、帯や和服地や浴衣地との間ですべりが生じやすいので、帯取付用小物携帯具が、装着時において、上下方向（帯の幅方向）あるいは帯の周方向に移動しやすくなる。さらには、装着時において、内側部と帯や和服地や浴衣地との間に生じる擦れ合いにより、帯や和服地等に傷みが生じることが懸念される。
【００２５】
これに対し、本発明の帯取付用小物携帯具のように、プラスチック板からなる芯部材と、布地からなり、少なくとも芯部材の第１主面及び第２主面を覆う被覆布部材と、を有する内側部とするのが、適切である。芯部材の第１主面および第２主面を、布地からなる被覆布部材で覆っているので、吸湿性が良好となる。また、帯や和服地や浴衣地と内側部との間ですべりが生じ難くなり、帯取付用小物携帯具が、装着時において、上下方向（帯の幅方向）あるいは帯の周方向に移動し難くなる。さらには、装着時において、内側部と帯や和服地や浴衣地との間に生じる擦れ合いによる、帯や和服地等に生じる傷みを低減することができる。
【００２６】
なお、芯部材として用いるプラスチック板は、装着感を考慮して、適切な可撓性を有するように、材質や厚さを考慮すると良い。さらには、帯よりも身体側または帯同士の間に適切に挿入できるように、剛性を考慮すると良い。
また、プラスチック板の具体的な材質としては、例えば、ポリ塩化ビニル、ポリエチレン、炭素繊維やガラス繊維等を用いたＦＲＰが挙げられる。
また、被覆布部材としては、例えば、木綿、絹、ポリエステルなどの繊維からなる布地を用いることができる。具体的には、和服地、浴衣地、服地などのほか、帆布などを挙げることができる。また、被覆布部材は、芯部材の第１主面及び第２主面を覆っていれば良いが、この被覆布部材を袋状に形成して、芯部材を内部に収容するようにしても良い。
【発明を実施するための最良の形態】
【００２７】
（実施例１）
次に、本発明の実施例１にかかる帯取付用小物携帯具１０について、図面を参照しつつ説明する。
本実施例１の帯取付用小物携帯具１０は、図１に示すように、板状をなす内側部１７と、第１〜第３収容ポケット１２〜１４を有する本体部１１と、内側部１７と本体部１１とを連結してなる基端連結部１８とを備えている。この帯取付用小物携帯具１０は、図２に示すように、身体２に巻いた帯１に装着して用いることができる。
【００２８】
具体的には、帯取付用小物携帯具１０は、図３に示すように、内側部１７を、身体２に重ねて巻いた帯１同士（内側帯部１ｄと外側帯部１ｅ）の間に位置させ、本体部１１を帯１の外側に位置させて使用する。このとき、基端連結部１８は、帯１（外側帯部１ｅ）の上方縁１ｂ（一方縁）を越えて、内側部１７の基端部１７ｇと本体部１１とを連結する形態をなす。
【００２９】
なお、本実施例１では、図３に示すように、帯１（外側帯部１ｅ）をその幅方向Ｙ（図３において上下方向）に見て、上方に位置する縁を上方縁１ｂ（一方縁）、下方に位置する縁を下方縁１ｃ（他方縁）とする。また、内側部１７のうち、帯１の上方縁１ｂ側に位置する部位を基端部１７ｇ、下方縁１ｃ側に位置する部位を先端部１７ｈとする。
また、本実施例１では、内側部１７を、身体２に重ねて巻いた帯１同士（内側帯部１ｄと外側帯部１ｅ）の間に位置させた例を示しているが、帯１よりも身体２側（帯１と身体２との間）に内側部１７を位置させるようにしても良い。
【００３０】
本体部１１は、図１に示すように、布地からなり、矩形袋状をなすベース部１５と、このベース部に縫いつけられた第１〜第３収容ポケット１２〜１４とを有している。ベース部１５には、ファスナー１５ｂが設けられており、このファスナー１５ｂを開閉することで、袋の口を開閉することができる。なお、ファスナー１５ｂは、蓋部１５ｃで覆われており、外部から見えないようにしている。
【００３１】
第１収容ポケット１２は、ポケット部１２ｂと、このポケット部１２ｂの開口を覆う蓋部１２ｃと、蓋部１２ｃをポケット部１２ｂに結合及び解離可能に固定するスナップボタン１２ｄとを有している。この第１収容ポケット１２には、携帯電話機などを収容することができる。
第２収容ポケット１３は、第１ポケット部１２よりも幅が広く、ポケット部１３ｂと、このポケット部１３ｂの開口を覆う蓋部１３ｃと、蓋部１３ｃをポケット部１３ｂに結合及び解離可能に固定するスナップボタン１３ｄとを有している。この第２収容ポケット１３には、たばこなどを収容することができる。
第３収容ポケット１３は、細長状のポケットであり、ペン等の筆記用具を収容することができる。
【００３２】
さらに、本実施例１の帯取付用小物携帯具１０は、図１に示すように、内側部１７の先端部１７ｈと本体部１１とを、結合及び解離可能に連結する先端連結手段１６を備えている。具体的には、この先端連結手段１６は、布地からなり、その一端が本体部１１に結合（縫いつけ）され、他端側にメス型ボタン部材１６ｃ（一方側ボタン部材）が取り付けられた細帯状の連結部材１６ｂ、及び、内側部１７の先端部１７ｈに取り付けられたオス型ボタン部材１６ｄ（他方側ボタン部材）からなる。なお、メス型ボタン部材１６ｃ及びオス型ボタン部材１６ｄは、互いに嵌合する対となるスナップボタンである。
【００３３】
この先端連結手段１６は、図３に示すように、帯取付用小物携帯具１０を帯１に装着したとき、帯１の下方縁１ｃ（他方縁）を越えて、内側部１７の先端部１７ｈと本体部１１とを、結合及び解離可能に連結することができる。さらに、前述のように、基端連結部１８により、帯１の上方縁１ｂ（一方縁）を越えて、内側部１７の基端部１７ｇと本体部１１とは連結されているから、本実施例１の帯取付用小物携帯具１０では、帯１（外側帯部１ｅ）を挟んで、内側部１７と本体部１１とを、帯１（外側帯部１ｅ）の上方縁１ｂ側と下方縁１ｃ側との両側で結合することができる。
【００３４】
これにより、帯取付用小物携帯具１０を装着した状態で身体２を動かしていても、帯取付用小物携帯具１０が帯１から外れてしまうことがなく、帯１に装着した状態を安定して保持することができる。さらに、前屈みになるなど身体２を傾ける動作をしたときでも、第１〜第３収容ポケット１２〜１４を含む本体部１１が大きく揺れ動くことがなく、良好な装着感を得ることができるので、好ましい。
【００３５】
ところで、帯取付用小物携帯具１０の内側部１７は、帯１の内側（身体２側）または帯１同士（内側帯部１ｄと外側帯部１ｅ）の間に位置させる。このため、図４に示すように、本実施例１とは逆に、本体部１１の先端部にメス型ボタン部材１６ｄを付ける一方、例えば、内側部１７の先端部１７ｈに細帯状の連結部材１６ｂを取り付けた帯取付用小物携帯具５０を用い、これを帯１に装着した場合には、細帯状の連結部材１６ｂが折れ曲がり、帯１の内側または帯１同士の間で、内側部１７に重なった状態になることが考えられる。この場合、手指の感覚で、連結部材１６ｂを探すことが難しくなり、また、連結部材１６ｂを引き出す面倒もあり、内側部１７の先端部１７ｈと本体部１１とを連結させにくくなると考えられる。
【００３６】
これに対し、本実施例１の帯取付用小物携帯具１０では、図３に示すように、細帯状の連結部材１６ｂ（その一端）を、帯１の外側に位置させる本体部１１に取り付けているため、上記のような不具合が生じる虞がない。しかも、内側部１１の先端部１７ｈにオス型ボタン部材１６ｄを取り付けているのみであるので、このオス型ボタン部材１６ｄが内側部１７の先端部１７ｈの所定位置から動くことがない。これにより、手指の感覚で、細帯状の連結部材１６ｂ及び内側部１７の先端部１７ｈに位置するオス型ボタン部材１６ｄの位置を探し易くなり、内側部１７の先端部１７ｈと本体部１１との連結を容易に行うことができる。
【００３７】
また、本実施例１の帯取付用小物携帯具１０では、図３に示すように、内側部１７は、プラスチック板からなる芯部材１７ｄと、布地からなりこの芯部材１７ｄを包む被覆布部材１７ｅとを有している。このように、内側部１７に、プラスチック板からなる芯部材１７ｄを設けることで、帯１の幅方向Ｙについて、身体２に巻いた帯１よりも身体２側または帯１同士（内側帯部１ｄと外側帯部１ｅ）の間に挿入可能な剛性を確保している。これにより、身体２に帯１を既に巻いた後でも、内側部１７を、帯１よりも身体２側または帯１同士の間に適切に挿入することができる。従って、本実施例１の帯取付用小物携帯具１０では、身体２に帯１を既に巻いた後でも、適切に、帯１に装着することができる。
【００３８】
しかも、内側部１７は、図１に示すように、基端部１７ｇから先端部１７ｈに向かうにしたがって、幅が狭くなる形態をなしている。これにより、身体２に帯１を既に巻いた後でも、内側部１７を、その先端部１７ｈ側から、帯１よりも身体２側または帯１同士の間に、スムーズに挿入することができる。なお、内側部１７を、帯１の上方縁１ｂ側及び下方縁１ｃ側のいずれから挿入するようにも構成できるが、本実施例１のように、上方縁１ｂ側から挿入したほうが挿入しやすく、衣服（和服や浴衣）も乱れないので好ましい。
【００３９】
さらに、本実施例１の帯取付用小物携帯具１０では、内側部１７を板状としている。これにより、内側部１７と帯１との接触面積を大きくすることができるので、帯取付用小物携帯具１０が帯１に装着され、内側部１７を帯１よりも身体２側または帯１同士の間に位置させた状態を、安定して保持することができる。
【００４０】
その上、本実施例１では、芯部材１７ｄを構成するプラスチック板として、可撓性を有するプラスチック板（具体的には、厚さ２ｍｍのポリ塩化ビニルからなるプラスチック板）を用いているので、内側部１７を、身体２に巻いた帯１に倣って変形（湾曲）させることができる。これにより、帯１の周方向Ｒ（図２参照）に、内側部１７を帯１に密着させることができる。従って、内側部１７を帯１よりも身体２側または帯１同士の間に位置させた状態で、帯取付用小物携帯具１０を、より一層帯１に安定して保持させることができる。
【００４１】
ところで、帯取付用小物携帯具１０を繰り返し使用しても、内側部１７の可撓性を維持するには、本実施例１のように、可撓性のあるプラスチック板を使用するのが好ましい。従って、例えば、内側部全体をプラスチック板で構成することもできる。
しかしながら、プラスチック板のみからなる内側部では、吸湿性が低いため、好ましくない。また、帯１や和服地３等との間ですべりが生じやすいので、帯取付用小物携帯具が、装着時において、上下方向（帯１の幅方向Ｙ）あるいは帯の周方向Ｒに移動しやすくなる（図２参照）。さらには、装着時中に、内側部１７と帯１や和服地や浴衣地との間に生じる擦れ合いにより、帯１や和服地３等に傷みが生じることが懸念される。
【００４２】
これに対し、本実施例１の帯取付用小物携帯具１０では、プラスチック板からなる芯部材１７ｄと、布地からなり、少なくとも芯部材１７ｄの第１主面１７ｄ１及び第２主面１７ｄ２を覆う被覆布部材１７ｅとを有する内側部１７としている（図３参照）。具体的には、被覆布部材１７ｅを袋状とし、芯部材１７ｄをその内部に収容している。このように、芯部材１７ｄの第１主面１７ｄ１および第２主面１７ｄ２を、布地からなる被覆布部材１７ｅで覆っているので、吸湿性が良好となる。また、帯１や和服地３等と内側部１７との間ですべりが生じ難くなり、帯取付用小物携帯具１０が、装着時において、上下方向（帯の幅方向Ｙ）あるいは帯１の周方向に移動し難くなる。さらには、装着時において、内側部１７と帯１や和服地３等との間に生じる擦れ合いによる、帯１や和服地３等に生じる傷みを低減することができる。
【００４３】
なお、本実施例１の帯取付用小物携帯具１０では、図５に示すように、本体部１１の内側面に、ベルト４を通すことが可能なベルト通し部１９を設けている。このため、ベルト通し部１９にベルト４を通すことで、本実施例１の帯取付用小物携帯具１０は、ズボンやスカートなどにも装着することができる。さらには、ベルト４を肩ひもとして用いれば、ポシェットとしても使用することができる。
【００４４】
（変形例１）
次に、変形例１にかかる帯取付用小物携帯具４０について説明する。本変形例１の帯取付用小物携帯具４０は、実施例１の帯取付用小物携帯具１０と比較して、本体部が異なり、その他については同様である。従って、ここでは、実施例１と異なる部分を中心に説明し、同様な部分については説明を省略または簡略化する。
【００４５】
本変形例１の帯取付用小物携帯具４０では、図６に示すように、本体部４１が、布地からなり、矩形板状をなすベース部４５と、このベース部４５の４つの角部付近に設けられた４つのオス型ボタン部材４５ｃ（対となるスナップボタンの一方）とを有している。しかしながら、実施例１と異なり、第１〜第３収容ポケットを有していない。
【００４６】
本変形例１では、ベース部４５に設けられた４つのオス型ボタン部材４５ｃを利用して、第１〜第３収容ポケット１２〜１４を有するポケット部材６を、本体部４１に着脱可能に設けることができる。具体的には、ポケット部材６の４つの角部付近に設けられた４つのメス型ボタン部材４５ｅ（対となるスナップボタンの他方）を、ベース部４５に設けられた４つのオス型ボタン部材４５ｃに嵌合させることで、本変形例１の帯取付用小物携帯具４０に、ポケット部材６を装着することができる。
なお、本変形例１では、ベース部４５に設けられた４つのオス型ボタン部材４５ｃが、「携帯部材」に相当し、ポケット部材６が、「被携帯物」に相当する。
【００４７】
（変形例２）
次に、変形例２にかかる帯取付用小物携帯具３０について説明する。本変形例２の帯取付用小物携帯具３０は、実施例１の帯取付用小物携帯具１０と比較して、基端連結部及び本体部の構造が異なり、その他については同様である。
具体的には、実施例１では、基端連結部１８は、本体部１１及び内側部１７と一体にされていた。これに対し、本変形例２では、図７に示すように、基端連結部３８は、内側部３７と本体部３１とを結合及び解離可能に連結する。換言すれば、本体部３１は、内側部３７と着脱可能にされている。
【００４８】
ここで、変形例２にかかる帯取付用小物携帯具３０について、詳細に説明する。基端連結部３８は、基端連結部本体３８ｂと、２つのメス型ボタン部材３８ｄとからなる。図７に示すように、本体部３１のベース部３５のうち、第１収容ポケット１２の上方及び第３収容ポケット１４の上方（２つの上方角部の付近）に、２つのメス型ボタン部材３８ｄ（対となるスナップボタンの他方）が配置されている。一方、基端連結部本体３８ｂは、内側部３７の基端部３７ｇと連結しており、自身の両端部に、２つのオス型ボタン部材３８ｃ（対となるスナップボタンの一方）を有している。
【００４９】
従って、本体部３１に設けられたメス型ボタン部材３８ｄを、基端連結部本体３８ｂに設けられたオス型ボタン部材３８ｃに嵌合させることで、基端連結部３８を介して、内側部３７の基端部３７ｇと本体部３１とを連結させることができる。変形例２にかかる帯取付用小物携帯具３０も、実施例１の帯取付用小物携帯具１０と同様にして、帯１に装着することができる。
【００５０】
変形例２にかかる帯取付用小物携帯具３０では、本体部３１が、着脱可能としてある。このため、携帯する小物に応じて、また、帯や和服の柄に応じて、本体部を付け替えることが可能となる点で好ましい。
【００５１】
（実施例２）
次に、実施例２にかかる帯取付用小物携帯具２０について説明する。本実施例２の帯取付用小物携帯具２０は、実施例１の帯取付用小物携帯具１０と比較して、幅細で、第２収容ポケットを有しておらず、連結部材１６ｂを１つのみ有している点が異なり、その他についてはほぼ同様である。従って、ここでは、実施例１と異なる部分を中心に説明し、同様な部分については説明を省略または簡略化する。
【００５２】
本実施例２にかかる帯取付用小物携帯具２０は、図８に示すように、板状をなす内側部２７と、第１収容ポケット１２及び第３収容ポケット１４を有する本体部２１と、内側部２７と本体部２１とを連結してなる基端連結部２８とを備えている。なお、本実施例２の内側部２７、本体部２１、及び基端連結部２８は、いずれも、実施例１の内側部１７、本体部１１、及び基端連結部１８に比べて、約半分の幅寸法とされている。
【００５３】
さらに、本実施例２の帯取付用小物携帯具２０は、内側部２７の先端部２７ｈと本体部２１とを結合及び解離可能に連結する、実施例１と同様の先端連結手段１６を１組備えている。このため、図３に示すように、帯取付用小物携帯具１０を帯１に装着したとき、帯１の下方縁１ｃ（他方縁）を越えて、内側部２７の先端部２７ｈと本体部２１とを、結合及び解離可能に連結することができる。
【００５４】
さらに、実施例１と同様に、基端連結部２８により、帯１の上方縁１ｂ（一方縁）を越えて、内側部２７の基端部２７ｇと本体部２１とを連結することができることから、本実施例２の帯取付用小物携帯具２０でも、帯１（外側帯部１ｅ）を挟んで、内側部２７と本体部２１とを、帯１（外側帯部１ｅ）の上方縁１ｂ側と下方縁１ｃ側との両側で結合することができる。
【００５５】
これにより、帯取付用小物携帯具２０を装着した状態で身体２を動かしていても、帯取付用小物携帯具２０が帯１から外れてしまうことがなく、帯１に装着した状態を安定して保持することができる。さらに、前屈みになるなど身体２を傾ける動作をしたときでも、本体部２１が大きく揺れ動くことがないので、好ましい。
【００５６】
以上において、本発明を実施例１，２及び変形例１，２に即して説明したが、本発明は上記実施形態等に限定されるものではなく、その要旨を逸脱しない範囲で、適宜変更して適用できることはいうまでもない。
例えば、実施例１等では、先端連結手段１６等を構成する部材として、対をなすスナップボタン１６ｃ，１６ｄを用いたが、スナップボタンに代えて、面ファスナ等を用いても良い。
また、実施例１，２では、本体部１１，２１のベース部１５，２５に第１収容ポケット１２等を設けたが、収容ポケットに代えて、あるいは収容ポケットと併せて、携帯電話ホルダやペン差しリングなどの「携帯部材」を設けるようにしても良い。
【図面の簡単な説明】
【００５７】
【図１】実施例１にかかる帯取付用小物携帯具１０の斜視図である。
【図２】帯取付用小物携帯具１０を、帯１に装着した状態を示す説明図である。
【図３】帯取付用小物携帯具１０，２０を、帯１に装着した状態における側面図である。
【図４】帯取付用小物携帯具５０を、帯１に装着した状態における側面図である。
【図５】帯取付用小物携帯具１０の他の使用例を説明する斜視図である。
【図６】変形例１にかかる帯取付用小物携帯具４０の斜視図である。
【図７】変形例２にかかる帯取付用小物携帯具３０の斜視図である。
【図８】実施例２にかかる帯取付用小物携帯具２０の斜視図である。
【符号の説明】
【００５８】
１０，２０，３０，４０，５０  帯取付用小物携帯具
１１，２１，３１，４１  本体部
１２  第１収容ポケット
１３  第２収容ポケット
１４  第３収容ポケット
１６  先端連結手段
１６ｂ  連結部材
１６ｃ  メス型ボタン部材（一方側ボタン部材）
１６ｄ  オス型ボタン部材（他方側ボタン部材）
１７，２７，３７，４７  内側部
１７ｄ  芯部材
１７ｄ１  芯部材の第１主面
１７ｄ２  芯部材の第２主面
１７ｅ，２７ｅ  被覆布部材
１７ｇ，２７ｇ，３７ｇ  内側部の基端部
１７ｈ，２７ｈ  内側部の先端部
１８，２８，３８  基端連結部
３８ｃ  オス型ボタン部材（携帯部材）
５９  ポケット部材（被携帯物）
【図１】
2008136648.tif 000003
【図２】
2008136648.tif 000004
【図３】
2008136648.tif 000005
【図４】
2008136648.tif 000006
【図５】
2008136648.tif 000007
【図６】
2008136648.tif 000008
【図７】
2008136648.tif 000009
【図８】
2008136648.tif 000010